(57)【要約】【課題】太陽光の受光効率をアップさせることができるとともに、充電器を把持した状態で携帯機器と接続する作業がしやすい携帯機器用充電器を提供する。【解決手段】ケース本体１１の内部に積層状態に収納されたバッテリー２３および電子部品基板ユニット２５と、ケース本体１１の上面全面に設けられた太陽電池パネル２０と、電子部品基板ユニット２５を介してバッテリー２３と電気的に接続されるＡＣ充電結合部３６と、電子部品基板ユニット２５を介してバッテリー２３と電気的に接続された状態に設けられ、携帯機器の充電端子と接続可能な充電コネクタ３０とからなり、ケース本体１１の底部には充電コネクタ３０を収納する充電コネクタ収納部２８を有し、充電コネクタ３０は充電コネクタ収納部２８からケース本体１１の外部に突没可能に設けられる。【選択図】図３
2010068591.tif 000002
【特許請求の範囲】
【請求項１】
合成樹脂材料によって成形されたケース本体と、
前記ケース本体の内部に積層状態に収納されたバッテリーおよび電子部品基板ユニットと、
前記ケース本体の上面全面に設けられた太陽電池パネルと、
前記電子部品基板ユニットを介してバッテリーと電気的に接続されるＡＣ充電結合部と、
前記電子部品基板ユニットを介してバッテリーと電気的に接続された状態に設けられ、携帯機器の充電端子と接続可能な充電コネクタとからなり、
前記ケース本体の底部には前記充電コネクタを収納する充電コネクタ収納部を有し、前記充電コネクタは前記充電コネクタ収納部から前記ケース本体の外部に突没可能に設けられていることを特徴とする携帯機器用充電器。
【請求項２】
前記充電コネクタは、前記充電コネクタ収納部の内部に枢軸を支点として、前記充電コネクタ収納部に収納された状態から前記ケース本体の外部に突出する状態に回動可能であることを特徴とする請求項１記載の携帯機器用充電器。
【請求項３】
前記ケース本体と前記充電コネクタには、該充電コネクタの回動時に摺動する摺動面を有し、この摺動面の一方には係合凸部、他方には係合凹部が設けられ、前記充電コネクタは回動途中位置でロック可能であることを特徴とする請求項１記載の携帯機器用充電器。
【請求項４】
前記ケース本体の上面全面に設けられた太陽電池パネルの下面と前記ケース本体の内部の前記電子部品基板ユニットとの間には空気層が設けられていることを特徴とする請求項１記載の携帯機器用充電器。
【発明の詳細な説明】
【技術分野】
【０００１】
本発明は、太陽電池パネルを備え、太陽光エネルギーを電気エネルギーに変換して内蔵バッテリーに蓄電して携帯電話機等のバッテリーに充電できる携帯機器用充電器に関する。
【背景技術】
【０００２】
携帯機器としての例えば携帯電話機は、本体の内部にバッテリーを備えており、充電が必要になって時には専用のＡＣ充電器を使用してバッテリーに充電することが行なわれている。しかし、専用のＡＣ充電器は嵩張るため、旅行や出張等の外出時にＡＣ充電器を持ち運ぶことは煩雑である。
【０００３】
また、乾電池を内蔵した充電器も市販されているが、乾電池自体に重量があるため、持ち運びに困難であり、最近では、太陽電池パネルを搭載した携帯電話機用充電器が知られている（例えば、特許文献１参照。）。
【０００４】
特許文献１に示す携帯電話機用充電器は、直方体形状のボディの内部にバッテリーを備えるとともに、ボディの表面に太陽電池パネルを装着し、さらにボディの端部に充電コネクタを設けたものである。そして、太陽電池パネルが太陽光エネルギーを受けると、そのエネルギーが電気エネルギーに変換され、ボディの内部のバッテリーに蓄電されるようになっている。したがって、充電コネクタを携帯電話機の充電端子に接続することにより、携帯電話機のバッテリーに充電することができる。
【特許文献１】特許第３５８０８０６号公報
【発明の開示】
【発明が解決しようとする課題】
【０００５】
しかしながら、特許文献１に示す携帯電話機用充電器は、太陽電池パネルが露出しているために、落下等の衝撃を受けたとき破損しやすく、さらに太陽電池パネルの受光面に傷が付き易く太陽光の受光効率が悪くなり、電気エネルギーへの変換効率が低下するという問題がある。さらに、ボディは上下２分割され、固定ねじで結合された構造であるため、防水機能はなく、水の浸入によって故障しやすいという問題がある。
【０００６】
また、ボディのサイズが、幅５０ｍｍ×長さ１７０ｍｍ×厚さ２０ｍｍ前後であり、大型であるとともに、特に長さが長いために携帯に不便である。
【０００７】
さらに、太陽光の受光効率をアップさせるために、充電器の片面全面に太陽電池パネルを貼ることが望ましいが、充電コネクタの部分は電気配線が存在するため太陽電池パネルを貼ることは困難である。また、充電コネクタを充電器のケースの内部に収納した充電器は、充電器を把持した状態で携帯電話と接続する作業がやりづらい。
【０００８】
本発明は、前記事情に着目してなされたもので、その目的とするところは、太陽光の受光効率をアップさせることができるとともに、充電器を把持した状態で携帯機器と接続する作業がしやすい携帯機器用充電器を提供することにある。
【課題を解決するための手段】
【０００９】
本発明は、前述した目的を達成するために、請求項１は、合成樹脂材料によって成形されたケース本体と、前記ケース本体の内部に積層状態に収納されたバッテリーおよび電子部品基板ユニットと、前記ケース本体の上面全面に設けられた太陽電池パネルと、前記電子部品基板ユニットを介してバッテリーと電気的に接続されるＡＣ充電結合部と、前記電子部品基板ユニットを介してバッテリーと電気的に接続された状態に設けられ、携帯機器の充電端子と接続可能な充電コネクタとからなり、
前記ケース本体の底部には前記充電コネクタを収納する充電コネクタ収納部を有し、前記充電コネクタは前記充電コネクタ収納部から前記ケース本体の外部に突没可能に設けられていることを特徴とする携帯機器用充電器にある。
【００１０】
請求項２は、請求項１の前記充電コネクタは、前記充電コネクタ収納部の内部に枢軸を支点として、前記充電コネクタ収納部に収納された状態から前記ケース本体の外部に突出する状態に回動可能であることを特徴とする。
【００１１】
請求項３は、請求項１の前記ケース本体と前記充電コネクタには、該充電コネクタの回動時に摺動する摺動面を有し、この摺動面の一方には係合凸部、他方には係合凹部が設けられ、前記充電コネクタは回動途中位置でロック可能であることを特徴とする。
【００１２】
請求項４は、請求項１の前記ケース本体の上面全面に設けられた太陽電池パネルの下面と前記ケース本体の内部の前記電子部品基板ユニットとの間には空気層が設けられていることを特徴とする。
【発明の効果】
【００１３】
本発明によれば、ケース本体の底部に充電コネクタを収納する充電コネクタ収納部を有し、充電コネクタが充電コネクタ収納部からケース本体の外部に突没可能に設けられている。したがって、充電器を把持したまま、充電コネクタと携帯機器との接続作業が簡単にでき、しかも太陽電池パネルをケース本体の片面全面に設けて太陽光の受光効率をアップさせる携帯機器用充電器を提供できるという効果がある。
【発明を実施するための最良の形態】
【００１４】
以下、本発明の実施の形態を図面に基づいて説明する。
【００１５】
図１は携帯電話機用充電器を示し、（ａ）は充電コネクタを収納した状態の斜視図、（ｂ）は充電コネクタを突出した状態の斜視図、図２は携帯電話機用充電器の分解斜視図、図３は携帯電話機用充電器の縦断側面図、図４は図３のＡ部を拡大した縦断側面図、図５（ａ）（ｂ）は携帯電話機用充電器の異なる設置状態の斜視図である。
【００１６】
図１〜図４に示すように、充電器のケース本体１１は合成樹脂材料によって成形された偏平矩形状の下部ケース１２と合成樹脂材料によって成形された偏平矩形状の上部ケース１３とから構成されている。下部ケース１２は底面部１４の外周部に嵌合周壁部１５が一体に設けられている。
【００１７】
上部ケース１３は上面部１７の外周部に嵌合周壁部１８が一体に設けられている。下部ケース１２の嵌合周壁部１５と上部ケース１３の嵌合周壁部１８には互いに対向するリブ１６，１９が一体に設けられている。リブ１６，１９は後述する電子部品基板ユニット２５を挟持した状態で、下部ケース１２に対して上部ケース１３が結合されるようになっている。
【００１８】
さらに、下部ケース１２の後部側における底面部１４の隅部には貫通孔１４ａが設けられ、上部ケース１３の上面部１７の隅部には貫通孔１４ａに対応してねじ孔を有するボス２１が設けられている。そして、下部ケース１２の貫通孔１４ａ側から固定ねじ２２を挿入し、上部ケース１３のねじ孔にねじ込むことにより、下部ケース１２と上部ケース１３とが固定されるようになっている。
【００１９】
下部ケース１２の内部には矩形状のバッテリー２３が収納され、このバッテリー２３の上面にはバッテリー２３の平面形状に略等しい矩形状の電子部品基板ユニット２５が積層されている。電子部品基板ユニット２５の上面、すなわちバッテリー２３と接する面と反対側には複数個の電子部品２６が搭載されている。電子部品基板ユニット２５の一側部における上面には充電状態を表示する表示素子としてのＬＥＤ２７が固定されている。このＬＥＤ２７は上部ケース１３を側部から確認できるようになっている。
【００２０】
また、上部ケース１３は上面部１７には受光面２０ａを上部に向けて太陽電池パネル２０が嵌合されている。この太陽電池パネル２０はリード線(図示しない)を介して電子部品基板ユニット２５およびバッテリー２３に電気的に接続され、受光面２０ａが太陽光エネルギーを受けると、そのエネルギーが電気エネルギーに変換され、バッテリー２３に蓄電されるようになっている。
【００２１】
下部ケース１２の前部側における底面部１４には下面側および前部側に開口部２８ａ，２８ｂを有する凹陥部からなる充電コネクタ収納部２８が設けられている。下部ケース１２の一部には充電コネクタ収納部２８の内部に突出する枢軸２９が設けられ、この枢軸２９には携帯電話機（図示しない）の充電端子と接続可能な充電コネクタ３０が枢軸２９を支点として１８０°の範囲で回動可能に設けられている。充電コネクタ３０は枢軸２９を曲率中心とする円弧面３１ａを有するコネクタケース３１を有し、このコネクタケース３１の内部に電子部品基板ユニット２５と電気的に接続されたコネクタ本体３２が設けられている。
【００２２】
さらに、下部ケース１２と充電コネクタ３０のコネクタケース３１には充電コネクタ３０の回動時に摺動する摺動面３３ａ，３３ｂが設けられている。この摺動面３３ａ，３３ｂの一方３３ａには係合凸部３４が設けられ、他方３３ｂには係合凹部３５が設けられている。係合凸部３４と係合凹部３５は充電コネクタ３０の回動途中、例えば８０〜１１０°の位置で係合して充電コネクタ３０がロック可能になっている。なお、係合凹部３５は、１個ずつに限定されるものではなく、複数設けで任意の位置で係合凸部３４と係合して充電コネクタ３０をロックできるようにしてもよい。
【００２３】
したがって、充電コネクタ３０を充電コネクタ収納部２８の内部に収納した状態は、図１に示すように、開口部２８ｂがコネクタケース３１およびコネクタ本体３２で塞がれた状態となり、充電コネクタ３０を回動して充電コネクタ収納部２８から突出した状態は、図２に示すように、開口部２８ａがコネクタケース３１によって塞がれ、開口部２８ｂからコネクタケース３１の一部およびコネクタ本体３２が突出した状態となる。さらに、このとき、コネクタケース３１が充電器のケース本体１１の端面より外部に突出（ｔ）するため、携帯電話に接続して充電する際にケース本体１１と携帯電話が干渉することがない。
【００２４】
また、下部ケース１２と上部ケース１３の後部側には電子部品基板ユニット２５と電気的に接続され、ＡＣ充電コネクタ(図示しない)と接続可能なＡＣ充電結合部３６が設けられている。ＡＣ充電結合部３６は開閉可能なＡＣキャップ３７によって保護されている。ＡＣ充電コネクタはコードを介してＡＣ充電結合部３６に接続されており、ＡＣ充電コネクタをＡＣ充電結合部３６に接続し、ＡＣ充電コネクタをＡＣコンセントに接続することにより、ＡＣ電源によってバッテリー２３に充電することもできる。
【００２５】
さらに、下部ケース１２に設けられた電子部品基板ユニット２５の上面と上部ケース１３の上面に設けられた太陽電池パネル２０の下面との間には空気層３８が設けられている。太陽電池パネル２０は太陽エネルギーによって温度上昇するが、その発生熱がバッテリー２３や電子部品基板ユニット２５に伝達するのを空気層３８で抑え、バッテリー２３や電子部品基板ユニット２５が熱的悪影響を受けるのを防止している。
【００２６】
なお、ケース本体１１の端部における角部にはストラップ孔３９が設けられ、ボールチェーン式ストラップもしくはカニカンリング付きストラップを挿通して携帯電話機に吊り下げることができるようになっている。
【００２７】
このように構成された携帯電話機用充電器は、下部ケース１２の嵌合周壁部１５と上部ケース１３の嵌合周壁部１８とを嵌合する。この状態で、下部ケース１２の貫通孔１４ａ側から固定ねじ２２を挿入し、上部ケース１３のねじ孔にねじ込むと、下部ケース１２と上部ケース１３とが固定される。
【００２８】
また、下部ケース１２には凹陥部からなる充電コネクタ収納部２８が設けられ、この充電コネクタ収納部２８の内部には枢軸２９を支点として回動可能な充電コネクタ３０が設けられている。したがって、充電コネクタ３０は枢軸２９を支点として１８０°の範囲で回動可能で、不使用時は、充電コネクタ３０を充電コネクタ収納部２８の内部に収納することができ、使用時は、充電コネクタ３０を回動して充電コネクタ収納部２８から突出させることができる。
【００２９】
しかも、下部ケース１２と充電コネクタ３０のコネクタケース３１には係合凸部３４と係合凹部３５とが設けられている。係合凸部３４と係合凹部３５は充電コネクタ３０の回動途中、例えば８０〜１１０°の位置で係合して充電コネクタ３０がロック可能になっている。したがって、図５（ａ）に示すように、充電コネクタ３０を回動途中でロックさせることにより、充電コネクタ３０が支持部材となり、充電器を倒立状態に支持できる。また、図５（ｂ）に示すように、充電コネクタ３０を回動途中でロックさせることにより、充電コネクタ３０が支持部材となり、充電器を傾斜状態に支持できる。
【００３０】
このように、充電器の設置状態により、太陽電池パネル２０の受光面２０ａを太陽光線の入射方向に向けてソーラー充電を効率的に行うことができる。
【００３１】
前記実施形態においては、携帯電話機について説明したが、パソコン等の携帯機器の充電にも利用できる。
【００３２】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００３３】
【図１】本発明の第１の実施形態の携帯電話機用充電器を示し、（ａ）は充電コネクタを収納した状態の斜視図、（ｂ）は充電コネクタを突出した状態の斜視図。
【図２】同実施形態を示し、携帯電話機用充電器の分解斜視図。
【図３】同実施形態を示し、携帯電話機用充電器の縦断側面図。
【図４】同実施形態を示し、図３のＡ部を拡大した断面図。
【図５】同実施形態を示し、（ａ）（ｂ）は携帯電話機用充電器の異なる設置状態の斜視図。
【符号の説明】
【００３４】
１１…ケース本体、１２…下部ケース、１３…上部ケース、２０…太陽電池パネル、２３…バッテリー、２５…電子部品基板ユニット、２８…充電コネクタ収納部、２９…枢軸、３０…充電コネクタ、３３ａ，３３ｂ…摺動面、３４…係合凸部、３５…係合凹部、３６…ＡＣ充電結合部
【図１】
2010068591.tif 000003
【図２】
2010068591.tif 000004
【図３】
2010068591.tif 000005
【図４】
2010068591.tif 000006
【図５】
2010068591.tif 000007